(57)【要約】【課題】サイズの異なる原稿が入り混じった異型原稿であっても正規の搬送方向に沿って搬送できる原稿読取装置を提供すること。【解決手段】原稿読取装置は、原稿搬送路に沿って原稿を１枚ずつ搬送する原稿送り手段と、搬送されてきた原稿の画像を走査して読み取る画像読取手段とを備え、原稿搬送路は、その一部に画像読取手段による画像の走査を許容する被走査部を有すると共に、被走査部よりも上流側に設けられ原稿の搬送方向と直交する方向に移動して原稿の斜行を搬送方向と平行な方向に矯正する斜行矯正部材とを有する。【選択図】図９
2006270560.tif 000002
【特許請求の範囲】
【請求項１】
原稿搬送路に沿って原稿を１枚ずつ搬送する原稿送り手段と、搬送されてきた原稿の画像を走査して読み取る画像読取手段とを備え、原稿搬送路は、その一部に画像読取手段による画像の走査を許容する被走査部を有すると共に、被走査部よりも上流側に設けられ原稿の搬送方向と直交する方向に移動して原稿の斜行を搬送方向と平行な方向に矯正する斜行矯正部材とを有することを特徴とする原稿読取装置。
【請求項２】
原稿送り手段は、原稿搬送路に沿って原稿を搬送する給紙ローラと、被走査部よりも上流側に設けられ、原稿を被走査部へ送り出す時機を調節するレジストローラとを有し、斜行矯正部材は給紙ローラとレジストローラとの間に配置され、搬送が一時停止された状態の原稿に対して斜行の矯正を行うことを特徴とする請求項１に記載の原稿読取装置。
【請求項３】
給紙ローラは原稿に対して離接自在に移動でき、給紙ローラは斜行矯正部材の移動中に原稿から離れることを特徴とする請求項２に記載の原稿読取装置。
【請求項４】
画像読取手段は、斜行矯正部材の移動距離に基づいて搬送されてくる原稿のサイズを判断し、画像を読み取るべき領域を決定することを特徴とする請求項１〜３のいずれか１つに記載の原稿読取装置。
【請求項５】
原稿送り手段は、斜行矯正部材の移動を制御する制御部と、原稿の通過を検知すると共に搬送方向に直交する方向の原稿幅を検出する原稿幅センサを有し、制御部は、原稿幅センサが原稿の先端を検知してから時間の経過にしたがって検出される原稿幅が漸増した場合に原稿が斜行搬送されていると判断し、原稿先端の一角の通過を検知してから同先端の別の一角を検知するまでの時間差と搬送速度から正規の搬送方向に対する原稿の傾斜角を算出し、検出された最大原稿幅を直角三角形の斜辺とみなし三角関数を利用して原稿先端の幅を算出し、算出された原稿先端の幅に基づいて斜行矯正部材を移動させる距離を決定し前記部材を移動させる請求項１〜４のいずれか１つに記載の原稿読取装置。
【請求項６】
原稿幅センサは直線状のラインセンサからなる請求項５に記載の原稿読取装置。
【請求項７】
原稿幅センサは搬送方向と直交する方向に間隔を空けて並べられた複数の通過センサからなる請求項５に記載の原稿読取装置。
【発明の詳細な説明】
【技術分野】
【０００１】
この発明は、原稿読取装置に関し、詳しくは、原稿を自動的に搬送しつつ原稿の画像を読み取る原稿読取装置に関する。
【背景技術】
【０００２】
この発明に関連する従来技術としては、自動的に原稿を搬送しつつその原稿の画像を読み取る原稿読取装置であって、読み取るべき原稿が載置される原稿載置台と、原稿載置台に載置された原稿を被走査部へ案内する原稿搬送路と、被走査部を通過する原稿の画像を読み取る画像読取手段と、被走査部の上流側の原稿搬送路に設けられた複数の原稿幅センサと、原稿載置台に設けられた原稿長さセンサと、原稿幅センサおよび原稿長さセンサの出力に応じて原稿のサイズを予め記憶された規定の定型サイズの中から選択し決定する制御部とを備える原稿読取装置が知られている（例えば、特許文献１参照）。
【特許文献１】特開２００４−１０７０１８号公報
【発明の開示】
【発明が解決しようとする課題】
【０００３】
複写機等に設けられる原稿読取装置の画像読取方式としては、一般的に原稿固定方式と原稿移動方式の２つが挙げられる。
原稿固定方式では、透明なプラテン上にユーザーが原稿を載置し、プラテンの下に設けられた光源、ミラー群、レンズおよびＣＣＤから構成される画像読取手段のうち、光源とミラー群を原稿に対して移動させながら原稿の画像を走査し、ミラーから反射してきた走査光をレンズを介してＣＣＤに結像させ、原稿の画像を電子化する。
一方、原稿移動方式では、自動原稿送り装置（以下、「ＡＤＦ」と称する）によって搬送され透明なプラテン上（被走査部）を通過する原稿に対し、画像読取手段の光源とミラー群を静止させた状態で原稿の画像を走査し、画像の読取を行う。
【０００４】
原稿移動方式は、ＡＤＦの原稿載置台にユーザーが読取を希望する原稿を載置し、スタートキーを押すだけで、原稿が自動的に搬送され原稿の画像読取が行われるので、ユーザーにとっては原稿固定方式よりも便利である。
【０００５】
しかし、一般にＡＤＦは、ユーザーが読み取るべき原稿束を載置する原稿載置台と、原稿載置台の両脇に立設され原稿束を原稿搬送方向に強制的に整える一対の規制板を備えており、画像読取手段は、原稿束を整えるべくユーザーによって移動させられた後の規制板の間隔に基づいて搬送されてくる原稿のサイズを認識し、画像を読み取るべき領域を決定している。
【０００６】
このため、原稿サイズが１種類に統一された原稿束であれば何の問題もないが、複数種類の原稿サイズが入り混じった原稿束（以下、「異型原稿」と称する）を搬送すると、画像読取手段は、異型原稿のうち最も大きな原稿のサイズに合わせて読取領域を決定してしまう。
つまり、Ａ４サイズの原稿と、Ｂ５サイズの原稿からなる異型原稿の場合、画像読取手段はＡ４サイズの原稿が搬送されてくるものと判断し、Ａ４サイズの原稿に対応するように読取領域を決定してしまう。
【０００７】
この場合、Ｂ５サイズの原稿もＡ４サイズの読取領域で読み取られ、画像データに余白部分が多く生じることになる。
これは、不必要に制御部の負担を増加させ、画像読取から画像データを出力するまでに要する時間が長くなるという不都合を招く。
【０００８】
また、ＡＤＦにおいて、最も避けなければならない課題は、原稿搬送中に生ずる原稿詰まりである。
原稿詰まりは、原稿が何らかの要因により正規の搬送方向に沿って搬送されず、正規の搬送方向に対して斜めに搬送され、原稿の一部に過剰な搬送力が加えられる状況（以下、「斜行」と称する）で生じ易い。
異型原稿の場合、規制板で原稿束を整えても、それは異型原稿を構成する原稿のうち、最も大きいサイズの原稿の原稿搬送方向を整えているに過ぎず、小さい原稿の向きは整えられない。
異型原稿が、このような状態のまま搬送されれば、異型原稿を構成する原稿中、小さい原稿に斜行が生じるのは必至であり、原稿詰まりを発生させる大きな要因となる。
【０００９】
この発明は以上のような事情を考慮してなされたものであり、サイズの異なる原稿が入り混じった異型原稿であっても正規の搬送方向に沿って搬送できる原稿読取装置を提供するものである。
【課題を解決するための手段】
【００１０】
この発明は、原稿搬送路に沿って原稿を１枚ずつ搬送する原稿送り手段と、搬送されてきた原稿の画像を走査して読み取る画像読取手段とを備え、原稿搬送路は、その一部に画像読取手段による画像の走査を許容する被走査部を有すると共に、被走査部よりも上流側に設けられ原稿の搬送方向と直交する方向に移動して原稿の斜行を搬送方向と平行な方向に矯正する斜行矯正部材とを有することを特徴とする原稿読取装置を提供するものである。
【発明の効果】
【００１１】
この発明によれば、原稿の搬送方向と直交する方向に移動して原稿の斜行を搬送方向と平行な方向に矯正する斜行矯正部材が被操作部の上流側の原稿搬送路に設けられるので、サイズの異なる原稿が入り混じった異型原稿であっても斜行を強制的に矯正し、正規の搬送方向に沿って搬送することができる。
これによって、サイズの異なる異型原稿であっても、原稿詰まりを引き起こすことなく安定して搬送できるようになる。
【発明を実施するための最良の形態】
【００１２】
この発明による原稿読取装置は、原稿搬送路に沿って原稿を１枚ずつ搬送する原稿送り手段と、搬送されてきた原稿の画像を走査して読み取る画像読取手段とを備え、原稿搬送路は、その一部に画像読取手段による画像の走査を許容する被走査部を有すると共に、被走査部よりも上流側に設けられ原稿の搬送方向と直交する方向に移動して原稿の斜行を搬送方向と平行な方向に矯正する斜行矯正部材とを有することを特徴とする。
【００１３】
この発明による原稿読取装置において、原稿送り手段とは、原稿搬送路に沿って原稿を搬送できるものであればよく、その構成は特に限定されないが、具体例としては、公知の自動原稿送り装置（ＡＤＦ）を挙げることができる。
画像読取手段とは、搬送されてくる原稿の画像を走査し電子的な画像データに変換できるものであればよく、その構成は特に限定されないが、例えば、走査光を発する光源、ミラー群、レンズ、ＣＣＤとから構成される縮小光学系の画像読取手段を挙げることができる。
【００１４】
被走査部とは、原稿搬送路のうち、画像読取手段によって原稿の画像が走査される部位であって、画像読取手段による原稿画像の走査を許容するように、少なくとも光が通過、或いは透過するように構成されている部位を意味する。
原稿の斜行とは、原稿が正規の搬送方向に沿って搬送されず、正規の搬送方向に対して斜めに搬送される状況を意味する。
斜行矯正部材とは、斜行する原稿に物理的に作用して斜行を正規の搬送方向に矯正できる可動部材であればよく、その構成は特に限定されないが、例えば、電動モータによって駆動され、原稿搬送路の一部に搬送方向と平行な方向に立設される板状部材から構成されてもよい。
【００１５】
この発明による原稿読取装置において、原稿送り手段は、原稿搬送路に沿って原稿を搬送する給紙ローラと、被走査部よりも上流側に設けられ、原稿を被走査部へ送り出す時機を調節するレジストローラとを有し、斜行矯正部材は給紙ローラとレジストローラとの間に配置され、搬送が一時停止された状態の原稿に対して斜行の矯正を行うことが好ましい。
また、上記構成において、給紙ローラは原稿に対して離接自在に移動でき、給紙ローラは斜行矯正部材の移動中に原稿から離れることが好ましい。
このような構成によれば、搬送が停止され給紙ローラからの押圧が解かれた状態の原稿に対して斜行矯正部材が作用するので、原稿に過度の矯正力を加えることなく確実かつスムーズに斜行を矯正でき、原稿の破れや皺などの損傷を防ぐことができる。
【００１６】
この発明による原稿読取装置において、画像読取手段は、斜行矯正部材の移動距離に基づいて搬送されてくる原稿のサイズを判断し、画像を読み取るべき領域を決定してもよい。
このような構成によれば、サイズの異なる原稿が入り混じった異型原稿であっても、原稿読取手段は原稿サイズに応じた適切な画像読取領域で画像を読み取ることができる。
これにより、異型原稿であっても、読み取られた画像データには余分な余白がなくなり、画像データを取り扱う制御部の負担が軽減され、画像読取から画像データの出力までに要する時間が短縮される。
【００１７】
この発明による原稿読取装置において、原稿送り手段は、斜行矯正部材の移動を制御する制御部と、原稿の通過を検知すると共に搬送方向に直交する方向の原稿幅を検出する原稿幅センサを有し、制御部は、原稿幅センサが原稿の先端を検知してから時間の経過にしたがって検出される原稿幅が漸増した場合に原稿が斜行搬送されていると判断し、原稿先端の一角の通過を検知してから同先端の別の一角を検知するまでの時間差と搬送速度から正規の搬送方向に対する原稿の傾斜角を算出し、検出された最大原稿幅を直角三角形の斜辺とみなし三角関数を利用して原稿先端の幅を算出し、算出された原稿先端の幅に基づいて斜行矯正部材を移動させる距離を決定し前記部材を移動させてもよい。
【００１８】
このような構成によれば、原稿が斜行搬送されているか、正常に搬送されているかを正確に判別でき、斜行搬送されている場合には、原稿先端の幅を算出し、算出された原稿先端の幅に基づいて斜行矯正部材を移動させる距離を決定し移動させるので、正確かつ緻密に原稿の斜行を矯正することができる。
【００１９】
また、原稿送り手段が制御部と原稿幅センサを有する上記構成において、原稿幅センサは、は直線状のラインセンサからなっていてもよい。
このような構成によれば、原稿幅センサが直線状のラインセンサからなるので、正確な原稿幅を検出できる。
【００２０】
また、原稿送り手段が制御部と原稿幅センサを有する上記構成において、原稿幅センサは搬送方向と直交する方向に間隔を空けて並べられた複数の通過センサからなっていてもよい。
このような構成によれば、複数の通過センサが原稿幅センサの役割を担うので、原稿幅センサに係るコストを削減することができる。
【００２１】
以下、図面に示す実施例に基づいてこの発明を詳細に説明する。
【実施例】
【００２２】
実施例１
この発明の実施例１による原稿読取装置について図１〜１４に基づいて説明する。図１は実施例１による原稿読取装置１００の概略的な構成を示す説明図、図２は図１に示される原稿読取装置１００を搭載した複写機２００の概略的な構成を示す説明図である。
【００２３】
図１に示されるように、概して、実施例１による原稿読取装置１００は、原稿搬送路４に沿って原稿Ｄを１枚ずつ搬送する自動原稿送り装置（以下、「ＡＤＦ」と称する）２０と、搬送されてきた原稿の画像を走査して読み取る画像読取手段３０とを備え、原稿搬送路４は、その一部に画像読取手段３０による画像の走査を許容する被走査部７を有すると共に、被走査部７よりも上流側に設けられ原稿Ｄの搬送方向と直交する方向に移動して原稿Ｄの斜行を搬送方向と平行な方向に矯正する斜行矯正部材４０とを有している。
【００２４】
図１に示される原稿読取装置１００は、上述の通り、原稿搬送路４に沿って自動的に原稿を搬送するＡＤＦ２０と、画像読取手段３０と、斜行矯正部材４０とから主に構成されている。
【００２５】
ＡＤＦ２０は、原稿載置台１に載置された原稿束を１枚ずつＡＤＦ２０の内部へ呼び込む給紙ローラ２と、原稿の重ね送りを防止するための摺接部材３、呼び込まれた原稿を案内する原稿搬送路４と、原稿搬送路４への入紙を検知すると共に通過する原稿の原稿幅を検出する第１原稿幅センサ５ａ、第２原稿幅センサ５ｂ、原稿Ｄの斜行を正規の搬送方向と平行な方向に強制的に矯正する斜行矯正部材４０、被走査部７への給紙タイミングを調節するレジストローラ６、搬送ローラ８、画像読取を終えた原稿Ｄを排紙トレイ１３へ排出する排紙ローラ９とから主に構成され、原稿載置台１には載置された原稿束の側端を整える一対の規制板１４と、原稿載置台１に原稿が載置されたことを検知する原稿載置台センサ１５が設けられている。
【００２６】
また、ＡＤＦ２０は、上記構成に加え、両面読取を可能とするための、揺動板１０、中間トレイ１１およびスイッチバック搬送路１２を備えている。
両面読取が行われる場合、被走査部７にて表面側の画像が読み取られた原稿Ｄは、下側のホームポジションに移動した揺動板１０に案内されながら中間トレイ１１上に排出される。
この際、原稿Ｄの後端は可逆回転可能な排紙ローラ９によってチャックされ、逆回転する排紙ローラ９によってスイッチバック搬送路１２へ送り出されて表裏が反転され、レジストローラ６を経て再び被走査部７を通過し、裏面側の画像が読み取られる。
【００２７】
表裏が反転した状態で被走査部７を通過した原稿Ｄは搬送ローラ８、排紙ローラ９、揺動板１０を経て再び中間トレイ１１上に排出され、原稿Ｄの後端が排紙ローラ９によってチャックされる。
その後、逆回転する排紙ローラ９によって再びスイッチバック搬送路１２へ送り出されて表裏が反転され、原稿搬送路４に沿って搬送された後、上側のホームポジションに移動した揺動板１０に案内されて排紙トレイ１３上に排紙される。
【００２８】
つまり、両面読取が行われる場合、原稿は１回目に被走査部７を通過する際に表面側の画像が読み取られ、２回目に被走査部７を通過する際に裏面側の画像が読み取られる。
３回目に被走査部７を通過する際には画像の読取は行われない。３回目の搬送は、原稿載置台１に載置された通りの順番で排紙トレイ１３に原稿Ｄを排紙するための空送りと呼ばれる搬送で、これによって原稿Ｄの表裏が元通りに整えられてから排紙トレイ１３上に排紙されることとなる。
【００２９】
画像読取手段３０は、光源３１、第１ミラー３２、第２ミラー３３、第３ミラー３４、レンズ３５、ＣＣＤ３６とから主に構成され、被走査部７に相当する位置に原稿移動方式用の第１プラテンガラス３７が配置されている。
また、原稿固定方式にて画像読取を行う際に、ユーザーによって原稿が載置される第２プラテンガラス３８は、排紙トレイ１３の下部に配置されている。
ＡＤＦ２０は、画像読取手段３０に対して、ヒンジ（図示せず）によって開閉可能に設置されている。
【００３０】
図２に示されるように、原稿読取装置１００は複写機２００に搭載されており、複写機２００は、記録用紙を収納する給紙カセット５１、給紙カセット５１に収納された記録用紙を１枚ずつ用紙搬送路５３へ送り出す半月状のピックアップローラ５２、感光体ドラム６１への給紙タイミングを調節するレジストローラ５４、感光体ドラム６１からトナー像の転写を受けた記録用紙を加熱し、トナー像を記録用紙に定着させる加熱ローラ５５及び加圧ローラ５６、トナー像定着済みの記録用紙が排出される排紙トレイ５７、複数の搬送ローラ５８、排紙トレイ５７の手前に配設される排紙ローラ５９、両面印刷を行う際に記録用紙の表裏を反転させるスイッチバック搬送路６０とから主に構成されている。
両面印刷が行われる際、排紙ローラ５９は、片面の印刷が完了した記録用紙の後端をチャックし、逆回転して記録用紙をスイッチバック搬送路６０へ送り出す。
【００３１】
また、感光体ドラム６１の周辺には、感光体ドラム６１を所定の電位に帯電させる帯電器６２、原稿読取装置１００によって読み取られた画像データに応じてレーザ光を照射し、帯電した感光体ドラム６１の表面に静電潜像を形成するレーザスキャニングユニット（ＬＳＵ）６３、感光体ドラム６１上に形成された静電潜像にトナーを供給して顕像化する現像器６４、感光体ドラム６１の表面に形成されたトナー像を記録用紙に転写する転写器（転写チャージャ）６５、記録用紙へトナーを転写した後の感光体ドラム６１の表面から余分なトナーを回収するクリーナユニット６６が配置されている。
【００３２】
ここで、原稿読取装置１００の斜行矯正部材４０の構成について図１並びに図３及び図４に基づいて詳しく説明する。図３は図１に示される原稿読取装置１００の平面図、図４は斜行矯正部材４０の機械的構造を示す説明図である。
【００３３】
図１および図３に示されるように、斜行矯正部材４０は、第１原稿幅センサ５ａと第２原稿幅センサ５ｂの間に配置され、第１原稿幅センサ５ａは給紙ローラ２に隣接するように配置されている。第１および第２原稿幅センサ５ａ，５ｂはそれぞれラインセンサからなり、直線状の読取ライン５ｃ，５ｄを有している。
図３に示されるように、斜行矯正部材４０は、原稿搬送路４の両脇に互いに対向するように立設され、搬送方向に対して直交する方向に移動できる一対の矯正板４１ａ，４１ｂで構成されている。
一対の矯正板４１ａ，４１ｂは、非作動時には原稿搬送路４の両脇で互いの対向間隔が最も広くなるホームポジションで待機している。
なお、図４に示される一対の矯正板４１ａ，４１ｂは、制御部５０からモータドライバ回路５２を介して制御される電動モータ５３（図１４参照）によってラックアンドピニオン方式により駆動され、同じ速度と距離でそれぞれ反対方向に移動することにより、一対の矯正板４１ａ，４１ｂの対向間隔は自在に変化する。
【００３４】
ここで、図５〜１４に基づいて斜行矯正部材４０の作用とその駆動制御について説明する。図５〜７は原稿Ｄが斜行搬送される状態を示す説明図、図８は斜行搬送された原稿Ｄから給紙ローラ２が離れた状態を示す説明図、図９は一対の矯正板４１ａ，４１ｂが移動して原稿Ｄの斜行が矯正された状態を示す説明図、図１０は斜行が矯正された原稿Ｄに対して給紙ローラ２が再び接触した状態を示す説明図、図１２および図１３は原稿読取装置１００の一連の動作を示すフローチャート図、図１４は制御部の構成を示すブロック図である。
【００３５】
図１４に示されるように、制御部５０は、図示しないＣＰＵ、ＲＯＭ、ＲＡＭ、Ｉ／Ｏポート等によって構成され、ユーザーの操作を受け付ける操作部５１、第１および第２原稿幅センサ５ａ，５ｂ、原稿載置台センサ１５、給紙ローラ２、レジストローラ６、排紙ローラ９、画像読取手段３０および斜行矯正部材４０を駆動する電動モータ５３に電圧を印加するモータドライバ回路５２とそれぞれ接続されている。
【００３６】
まず、図５および図１２に示されるように、原稿載置台１にサイズの異なる原稿Ｄからなる異型原稿が載置され、ユーザーによって操作部５１のスタートキー（図示せず）が押下されると、給紙ローラ２が回転して原稿搬送路４へ原稿Ｄを呼び込み（ステップ１）、原稿Ｄの先端が第１原稿幅センサ５ａを通過する（ステップ２）。
この際、制御部５０は、原稿Ｄの幅が漸増していくか否かを判断し、第１原稿幅センサ５ａが原稿Ｄの幅の漸増を検出した場合、原稿Ｄが斜行搬送されていると判断し（ステップ３）、原稿Ｄの先端の一角が通過した時点からの時間を計測すると共に、給紙ローラ２の回転速度に基づいて原稿Ｄの搬送速度ｖを算出する。
【００３７】
一方、図示しないが、第１原稿幅センサ５ａが原稿Ｄの幅の漸増を検出しなかった場合、制御部５０は原稿Ｄが正規の搬送方向に向かって正常に搬送されていると判断し（ステップ３）、通常通り搬送を継続し（ステップ４）、該原稿Ｄはレジストローラ６によって給紙タイミングが調整された後、被走査部７（図１参照）にて画像の読取が行われる（ステップ５）。
なお、この際に画像読取手段３０が画像を読み取るべき領域は、第１および第２原稿幅センサ５ａ，５ｂによって検出された原稿Ｄの先端の幅に基づいて制御部５０が判断した原稿Ｄの定型サイズによって決定される。
【００３８】
その後、第１原稿幅センサ５ａが原稿Ｄの後端の通過を検知すると（ステップ６）、制御部５０は原稿載置台１に原稿Ｄが残っているか否かを原稿載置台センサ１５の出力に基づいて判断し（ステップ７）、原稿Ｄが残っていると判断した場合は再びステップ１に戻り、給紙ローラ２を回転駆動させて原稿Ｄを原稿搬送路４に呼び込む。
一方、ステップ７において、原稿載置台１に原稿Ｄが残っていないと判断されると、一連のフローが終了する。
【００３９】
先のステップ３において、原稿Ｄが斜行搬送されていると判断された場合、図６に示されるように、原稿Ｄの搬送が進むにつれて原稿Ｄの先端の別の一角が第１原稿幅センサ５ａを通過し、その後、第１原稿幅センサ５ａは同じ幅、すなわち最大原稿幅ｃ2を検出し続ける（ステップ８）。
この際、制御部５０は、原稿Ｄの先端の一角が最初に第１原稿幅センサ５ａを通過した時点から別の一角が第１原稿幅センサ５ａを通過し最大原稿幅ｃ2を検出した時点までの時間ｔを算出する。
【００４０】
次いで、制御部５０は、原稿Ｄの先端の一角が最初に第１原稿幅センサ５ａを通過した地点から搬送が進んだ同原稿先端の同一角までの距離ａ1を、時間ｔと搬送速度ｖに基づいて算出すると共に、原稿Ｄの先端の一角が最初に第１原稿幅センサ５ａを通過した地点から原稿Ｄの先端の別の一角が第１原稿幅センサ５ａを通過した地点までの距離ｂ1を算出する。
【００４１】
次いで、制御部５０は、算出した距離ａ1を直角三角形の対辺とみなし、算出した距離ｂ1を直角三角形の底辺とみなし、ｔａｎθ＝ａ1／ｂ1の式により正規の搬送方向に対する原稿の傾斜角θを算出する（ステップ９）。
次いで、制御部５０は、検出した最大原稿幅ｃ2を直角三角形の斜辺とみなし、原稿先端の幅ｂ2を同直角三角形の底辺とみなし、ｂ2＝ｃｏｓθ×ｃ2の式により原稿先端の幅ｂ2を算出する（ステップ１０）。
【００４２】
次いで、制御部５０は、図７に示されるように原稿Ｄの先端が第２原稿幅センサ５ｂを通過し、第２原稿幅センサ５ｂが最大原稿幅ｃ2を検出するまで原稿Ｄを搬送し、（ステップ１１）、その後、図８に示されるように第２原稿幅センサ５ｂが最大原稿幅ｃ2を検出た時点で制御部５０は給紙ローラ２の回転駆動を停止させ、給紙ローラ２を原稿Ｄから離れるように移動させる（ステップ１２）。これにより原稿Ｄは給紙ローラ２の押圧から解放され、原稿搬送路４上に載置されただけのフリーな状態となる。
【００４３】
ここで、制御部５０は、第２原稿幅センサ５ｂから得られた検出結果に対しても、第１原稿幅センサ５ａの検出結果に基づいて行った上述の制御と同じ制御方法により原稿Ｄの傾斜角θを算出し（ステップ１３）、さらに原稿Ｄ先端の幅ｂ2を算出する（ステップ１４）。
その後、図１３に示されるように、制御部５０は、第１原稿幅センサ５ａの検出結果に基づいて先に算出された原稿先端の幅ｂ2と、第２原稿幅センサ５ｂの検出結果に基づいて後で算出された原稿先端の幅ｂ2とを比較し（ステップ１５）、それらの値が所定値以上異なっているか否かを判断し（ステップ１６）、所定値以上異なっている場合には原稿Ｄに皺や破れなどの異常が生じたか、或いは方形でないエラー原稿であると判断し、ユーザーにＡＤＦ２０（図１参照）から該原稿Ｄを取り除くように操作部５１にメッセージを表示する（ステップ１７）。
その後、制御部５０は、原稿Ｄが取り除かれたか否かを判断し（ステップ１８）、取り除かれたと判断すると図１２に示すステップ７に戻って原稿載置台センサ１５の出力に基づいて原稿載置台１に原稿Ｄが残っているか否かを判断する。
【００４４】
一方、ステップ１６において、第１原稿幅センサ５ａの検出結果に基づいて先に算出された原稿先端の幅ｂ2と、第２原稿幅センサ５ｂの検出結果に基づいて後で算出された原稿Ｄの先端の幅ｂ2との差が所定値の範囲内であると判断された場合、制御部５０は、第１原稿幅センサ５ａの検出結果に基づいて算出された原稿先端の幅ｂ2と、第２原稿幅センサ５ｂの検出結果に基づいて算出された原稿先端の幅ｂ2との平均値を算出する（ステップ１９）。制御部５０は、この平均値を原稿Ｄの先端の幅ｂ2として認識し以降の制御を進める。
このように、第１および第２原稿幅センサ５ａ，５ｂの出力に基づいてそれぞれ原稿Ｄの先端の幅ｂ2を算出し、算出された原稿Ｄの先端の幅ｂ2の平均値を求めることにより、より正確な原稿Ｄの先端の幅ｂ2を算出することができる。
【００４５】
次いで、制御部５０は、平均値として算出された原稿Ｄの先端の幅ｂ2に基づいて、原稿Ｄの斜行を矯正するうえで必要となる矯正板４１ａ，４１ｂの移動距離を算出し（ステップ２０）、図９に示されるように算出された移動距離だけ矯正板４１ａ，４１ｂを移動させ原稿Ｄの斜行を正規の搬送方向と平行な方向に矯正する（ステップ２１）。
この際、上述の通り、原稿Ｄはフリーな状態にあるので、矯正板４１ａ，４１ｂが原稿Ｄの側端に当接することにより原稿Ｄの斜行はスムーズに矯正される。
また、矯正板４１ａ，４１ｂは、原稿Ｄの側端の近傍までは高速で移動し、原稿Ｄの側端の近傍まで接近すると低速で移動し所定の距離を移動した時点で停止させられる。
これにより、矯正板４１ａ，４１ｂは斜行した原稿Ｄの側端に穏やかにゆっくり接触することになり、原稿Ｄの斜行を矯正する際に皺や破れなどの損傷を与えることが防止される。また、原稿Ｄの斜行を矯正する際に要する時間も最小限に抑えられる。
【００４６】
次いで、図１０に示されるように、制御部５０は、給紙ローラ２を再び原稿Ｄに当接するように移動させた後、給紙ローラ２を回転駆動して原稿Ｄの搬送を再開させる（ステップ２２）。
また、これと同時に制御部５０は、矯正板４１ａ，４１ｂの移動距離に基づいて原稿Ｄの定型サイズを決定し、画像読取手段３０が画像を読み取るべき領域を決定する。
次いで、被走査部７（図１参照）にて画像読取手段３０による原稿Ｄの画像の読取が開始されると（ステップ２３）、制御部５０は原稿Ｄの後端が第２原稿幅センサ５ｂを通過したか否かを判断し（ステップ２４）、図１１に示されるように、原稿Ｄの後端が第２原稿幅センサ５ｂを通過したと判断すると次の原稿Ｄの搬送に備えて矯正板４１ａ，４１ｂを元のホームポジションに戻す（ステップ２５）。
その後、制御部５０は、原稿載置台センサ１５の出力に基づいて原稿載置台１に原稿Ｄが残っているか否かを判断し（ステップ２６）、残っていると判断した場合には図１２に示すステップ１に戻って次の原稿Ｄの給紙を開始し、残っていないと判断した場合には図１３に示されるように一連のフローを終了する。
【００４７】
実施例２
この発明の実施例２による原稿読取装置について図１５に基づいて説明する。図１５は、実施例２による原稿読取装置３００の平面図であり、実施例１の図３に相当する図である。
図１５に示されるように、実施例２による原稿読取装置３００は、実施例１による原稿読取装置１００（図３参照）において、ラインセンサでそれぞれ構成されていた第１および第２原稿幅センサ５ａ，５ｂの代わりに、搬送方向と直交する方向に間隔を空けて並べられた複数の通過センサ３０６を第１および第２原稿幅センサ３０５ａ，３０５ｂとして用いたものであり、その他の構成は実施例１による原稿読取装置１００と同じである。
【００４８】
このような構成によれば、実施例１による原稿読取装置１００よりも第１および第２原稿幅センサ３０５ａ，３０５ｂに係るコストを削減できる。
制御方法では、第１原稿幅センサ３０５ａを構成する複数の通過センサ３０６のうち、いずれか１つの通過センサ３０６のみが原稿の通過を検知し、その後、複数の通過センサ３０６が原稿の通過を検知した場合に原稿が斜行搬送されていると判断し、最も多くの通過センサ３０６が原稿の通過を検知した場合にその幅を原稿の最大原稿幅ｃ2（図６参照）と推定する点が異なり、他の制御方法を同じである。また、第２原稿幅センサ３０５ｂについても同様である。
【図面の簡単な説明】
【００４９】
【図１】この発明の実施例１による原稿読取装置の概略的な構成を示す説明図である。
【図２】図１に示される原稿読取装置を搭載した複写機の概略的な構成を示す説明図である。
【図３】図１に示される原稿読取装置の平面図である。
【図４】斜行矯正部材の機械的構造を示す説明図である。
【図５】原稿が斜行搬送される状態を示す説明図である。
【図６】原稿が斜行搬送される状態を示す説明図である。
【図７】原稿が斜行搬送される状態を示す説明図である。
【図８】斜行搬送された原稿から給紙ローラが離れた状態を示す説明図である。
【図９】一対の矯正板が移動して原稿の斜行が矯正された状態を示す説明図である。
【図１０】斜行が矯正された原稿に対して給紙ローラが再び接触した状態を示す説明図である。
【図１１】原稿の後端が第２原稿幅センサを通過し、一対の矯正板がホームポジションに戻った状態を示す説明図である。
【図１２】原稿読取装置の一連の動作を示すフローチャート図である。
【図１３】原稿読取装置の一連の動作を示すフローチャート図である。
【図１４】制御部の構成を示すブロック図である。
【図１５】この発明の実施例２による原稿読取装置の平面図である。
【符号の説明】
【００５０】
１・・・原稿載置台
２・・・給紙ローラ
３・・・摺接部材
４・・・原稿搬送路
５ａ・・・第１原稿幅センサ
５ｂ・・・第２原稿幅センサ
５ｃ，５ｅ・・・読取ライン
６・・・レジストローラ
８・・・搬送ローラ
９，５９・・・排紙ローラ
１０・・・揺動板
１１・・・中間トレイ
１２，６０・・・スイッチバック搬送路
１３，５７・・・排紙トレイ
１４・・・規制板
１５・・・原稿載置台センサ
２０・・・自動原稿送り装置（ＡＤＦ）
３０・・・画像読取手段
３１・・・光源
３２・・・第１ミラー
３３・・・第２ミラー
３４・・・第３ミラー
３５・・・レンズ
３６・・・ＣＣＤ
３７・・・第１プラテンガラス
３８・・・第２プラテンガラス
４０・・・斜行矯正部材
４１ａ，４１ｂ・・・矯正板
５１・・・給紙カセット
５２・・・ピックアップローラ
５３・・・用紙搬送路
５４・・・レジストローラ
５５・・・加熱ローラ
５６・・・加圧ローラ
５８・・・搬送ローラ
６１・・・感光体ドラム
６２・・・帯電器
６３・・・レーザスキャニングユニット
６４・・・現像器
６５・・・転写器
６６・・・クリーナユニット
１００，３００・・・原稿読取装置
２００・・・複写機
Ｄ・・・原稿
【図１】
2006270560.tif 000003
【図２】
2006270560.tif 000004
【図３】
2006270560.tif 000005
【図４】
2006270560.tif 000006
【図５】
2006270560.tif 000007
【図６】
2006270560.tif 000008
【図７】
2006270560.tif 000009
【図８】
2006270560.tif 000010
【図９】
2006270560.tif 000011
【図１０】
2006270560.tif 000012
【図１１】
2006270560.tif 000013
【図１２】
2006270560.tif 000014
【図１３】
2006270560.tif 000015
【図１４】
2006270560.tif 000016
【図１５】
2006270560.tif 000017